(57)【要約】【課題】ガス遮断装置において、ガス未使用時間帯での電池電圧低下検知による遮断を防止する。【解決手段】所定時間を計測するタイマ部１と、流量入力部６との信号にもとづいて、電池電圧検出手段３により、電池電圧を検出し、電圧低下を検出したら弁５を閉じる。【選択図】図１
2005127883.tif 000002
【特許請求の範囲】
【請求項１】
流量を流量信号に変換して出力する流量入力部と、装置を駆動するための電池と、前記電池の電圧を検知する電池電圧低下検知手段と、所定の時間を計測しタイムアップ信号を出力するタイマ部と、流路を閉じる弁と、前記タイマ部からのタイムアップ信号と、前記流量入力部からの流量信号に応じて前記電池電圧低下検知手段で電池電圧を検出し、所定の電圧以下であれば前記弁を閉じる制御部を有したガス遮断装置。
【請求項２】
タイマ部からのタイムアップ信号をカウントするカウント部を有し、前記カウント部におけるカウント値が所定の回数に達すると電池電圧低下検知手段で電池電圧を検出する請求項１に記載のガス遮断装置。
【請求項３】
外部センサ部を有し、タイマ部からのタイムアップ信号と、前記外部センサ部から信号に応じて、電池電圧低下検知手段で電池電圧を検出する請求項１または２に記載のガス遮断装置。
【発明の詳細な説明】
【技術分野】
【０００１】
本発明は、ガス遮断装置の特に電池電圧低下検知に関するものである。
【背景技術】
【０００２】
従来のこの種のガス遮断装置は、ガスの供給弁を閉める動作を保証する必要があり、弁の開閉動作が可能な電池電圧が確保されているかをチェックするため電池電圧を検知する機能を備えている。図７に示すように、タイマ部１、制御部２、電池電圧低下検知手段３、電池４、弁５より構成されており、タイマ部１より一定の間隔でタイムアップ信号Ｎ１を制御部２に出力し前記制御部２が前記タイムアップ信号を受け取ると電池電圧低下検知手段３に電圧検知信号Ｎ２を出力し電池電圧低下検知を行っていた（例えば、特許文献１参照）。
【０００３】
そして、電池電圧低下検知手段３は、電池電圧が正常か低下かどうかを判定し、電圧が低下していた場合、電圧低下信号Ｎ３を制御部２に出力する。制御部２は電池電圧低下検知手段３より電圧低下信号Ｎ３を受け取ると、弁５に弁閉信号Ｎ４を出力することで、弁を閉じていた。
【特許文献１】特開２００３−１４７９４号公報
【発明の開示】
【発明が解決しようとする課題】
【０００４】
しかしながら、前記従来のガス遮断装置では、タイマ部から出力される信号Ｎ１は一定時間間隔ため、夜間の気温が一番低い時間に電池電圧低下の検知を行う場合があり、低温での電池の特性により通常ガスを用いる温度では電池電圧低下とならない場合でも電圧低下と検知する場合があった。また、周囲温度を測定することにより、電池電圧低下の検知を行う時間を遅延する方法が考えられているが、実際に使用する時間帯が低温時だった場合には、その時間帯での電池電圧低下検知を行わない可能性があった。
【課題を解決するための手段】
【０００５】
本発明は前記課題を解決するために、電池電圧低下検知を行うタイミングを任意の時間経過後で、かつ、流量が計測された時点とするものである。
【０００６】
上記発明によれば、利用者がガスを利用する時点で電池電圧低下の検知を行うため、未使用時かつ低温時での電池電圧低下遮断にて起こる利用者の不便を解消し、利用開始時に電池電圧低下中だった場合の使用を防ぎ安全性を向上することができる。
【発明の効果】
【０００７】
本発明のガス遮断装置は、電池電圧検知を流量計測時としているので、ガス未使用時間帯かつ低温時での電池電圧低下遮断にて起こる利用者の不便を解消し、利用開始時に電池電圧低下中だった場合の使用を防ぎ、また、外部環境の異常時にも電池電圧低下を検知することでガス利用者の安全性を向上することができる。
【発明を実施するための最良の形態】
【０００８】
第１の発明は、流量を流量信号に変換して出力する流量入力部と、装置を駆動するための電池と、前記電池の電圧を検知しする電池電圧低下検知手段と、所定の時間を計測しタイムアップ信号を出力するタイマ部と、流路を閉じる弁と、前記タイマ部からのタイムアップ信号と、前記流量入力部からの流量信号に応じて、前記電池電圧低下検知手段で電池電圧を検出し、所定の電圧以下で有れば前記弁を閉じる制御部を有したガス遮断装置であり、流量を計測した時点で電池電圧低下検知を行うことができ、利用者がガスを利用する時点で電池電圧低下を検知を行うため、従来のようにガス未使用時間帯かつ低温時での電池電圧低下遮断にて起こる利用者の不便を解消し、利用開始時に電池電圧低下中だった場合の使用を防ぎ安全性を向上することができる。
【０００９】
第２の発明は、第１の発明において、タイマ部からのタイムアップ信号をカウントするカウント部を有し、前記カウント部におけるカウント値が所定の回数に達すると電池電圧低下検知手段で電池電圧を検出するガス遮断装置であり、利用者が長期不在などによって、ガスを利用しない場合は、一定の間隔以上にて電池電圧低下検知を行うことができ、従来より電池の消耗を軽減することができる。
【００１０】
第３の発明は、請求項１または２において、外部センサ部を有し、タイマ部からのタイムアップ信号と、前記外部センサ部から信号に応じて、電池電圧低下検知手段で電池電圧を検出するガス遮断装置であり、ガスを利用している場合に限らず、外部センサが動作するタイミングでも電池電圧低下を検知することで、外部環境の異常中に電池電圧低下中であった場合の使用を防ぐことができる。
【００１１】
以下、本発明の実施の形態について図面を用いて説明する。なお、この実施の形態によって本発明が限定されるものではない。
【００１２】
（実施の形態１）
図１は本発明の実施の形態１のガス遮断装置のブロック図である。また図２はガス遮断装置のフローチャートである。
【００１３】
図１において、１はタイマ部、２は制御部、３は電池電圧低下検知手段、４は電池、５は弁、６は流量入力部である。
【００１４】
タイマ部１にて任意の時間タイマがカウントし、カウントアップすると制御部２にタイムアップ信号Ｎ１を出力する。前記制御部２は、流量入力部６からの流量有り信号Ｎ５を受け取っている流量計測中に、前記タイムアップ信号Ｎ１を受け取ると、電池電圧低下検知手段３に電圧検知信号Ｎ２を出力する。前記電池電圧低下検知手段３は、前記電圧検知信号Ｎ２を受け取ると電池４の電池電圧を測定し、電池電圧が正常か低下かどうかを判定する。電圧が低下していた場合、電圧低下信号Ｎ３を前記制御部２に出力する。前記制御部２は前記電池電圧低下検知手段３より前記電圧低下信号Ｎ３を受け取ると、弁５に弁閉信号Ｎ４を出力する。
【００１５】
もしも、前記制御部２が前記タイマ部１からの前記タイムアップ信号Ｎ１を受け取ったときに前記流量有り信号Ｎ５を受け取っていなければ、前記電池電圧低下検知手段３に前記電圧検知信号Ｎ３を出力するのを保留する。そして、前記制御部２が、前記電圧検知信号Ｎ３の出力を保留している間に前記流量有り信号Ｎ５を受け取ると前記電圧検知信号Ｎ３を出力する。また、前記制御部２が前記電池電圧低下検知手段３に前記電圧検知信号Ｎ３を出力する前に、再度、前記タイマ部１から前記タイムアップ信号Ｎ１を受け取っても、継続して前記流量入力部６からの前記流量有り信号Ｎ５を受け取るまで前記電池電圧低下検知手段３への前記電圧検知信号Ｎ３の出力を保留する。なお、前記制御部２は前記電圧低下信号Ｎ３を所定の回数受け取った場合に前記弁５に弁閉信号Ｎ４を出力してもよい。
【００１６】
次に、図２のフローチャートを用いて説明する。まず、タイマのカウント（Ｑ１）がタイムアップかを判定し（Ｑ２）、タイムアップで有れば、流量有りかを判定し（Ｑ５）、流量有りであればタイムアップ保留中をリセットし（Ｑ７）、電池電圧低下を判定する（Ｑ８）。流量有りかを判定したときに（Ｑ５）、流量有りでないとタイムアップ保留中となり（Ｑ６）、タイマのカウントを続けながら流量有りかを判定する（Ｑ１、Ｑ２、Ｑ３、Ｑ４）。電池電圧低下を判定し（Ｑ８）、低下していた場合は弁を遮断する（Ｑ９）。なお、低下していた場合に弁を閉じずに報知手段にて報知させてもよい。また、タイムアップ保留中でなければ、カウントを繰り返す（Ｑ３）。
【００１７】
以上のように本実施の形態によれば、電池電圧低下検知を流量計測時に行うことにより、タイマ１に設定された時間以上の任意の時間間隔で電圧低下を検知を行うことで電池電圧低下検出による電池の消耗を低減できると共に、利用者がガスを利用する時点で電池電圧低下を検知を行うため、ガス未使用時間帯かつ低温時での電池電圧低下遮断にて起こる利用者の不便を解消し、利用開始時に電池電圧低下中だった場合の使用を防ぎ安全性を向上することができる。
【００１８】
（実施の形態２）
図３、図４は本発明の実施例２のブロック図およびフローチャートで、実施の形態１と異なる点はカウント部７を設けているところである。
【００１９】
図３において、１はタイマ部、２は制御部、３は電池電圧低下検知手段、４は電池、５は弁、６は流量入力部、７はカウント部である。
【００２０】
タイマ部１にて所定の時間タイマがカウントし、カウントアップすると制御部２にタイムアップ信号Ｎ１を出力し、カウント部７にカウントアップ回数信号Ｎ６を出力する。カウント部７はカウントアップ回数信号Ｎ６を受け取ると、回数をカウントし、任意に定めた回数となれば回数アップ信号Ｎ７を前記制御部２に出力する。前記制御部２は、流量入力部６からの流量有り信号Ｎ５を受け取っている流量計測中に、前記タイムアップ信号Ｎ１を受け取ると、電池電圧低下検知手段３に電圧検知信号Ｎ２を出力する。
【００２１】
また、制御部２は、前記カウント部７から回数アップ信号Ｎ７を受け取ると、前記電圧検知信号Ｎ２を出力する。前記電池電圧低下検知手段３は、前記電圧検知信号Ｎ２を受け取ると電池４の電池電圧を測定し、電池電圧が正常か低下かどうかを判定する。電圧が低下していた場合、電圧低下信号Ｎ３を前記制御部２に出力する。前記制御部２は前記電池電圧低下検知手段３より前記電圧低下信号Ｎ３を受け取ると、弁５に弁閉信号Ｎ４を出力する。前記制御部２が前記タイマ部１からの前記タイムアップ信号Ｎ１を受け取り、前記回数アップ信号Ｎ７および前記流量有り信号Ｎ５を受け取っていなければ、前記電池電圧低下検知手段３に前記電圧検知信号Ｎ３を出力するのを保留する。前記制御部２が、前記電圧検知信号Ｎ３の出力を保留している間に前記流量有り信号Ｎ５を受け取ると前記電圧検知信号Ｎ３を出力する。なお、前記制御部２が前記電圧検知信号Ｎ２の出力を保留中に、再度前記タイマ部１から前記タイムアップ信号Ｎ１を受け取っても、継続して前記電圧検知信号Ｎ２の出力を保留する。前記制御部２は、前記電圧検知信号Ｎ２を出力すると同時に、前記カウント部に回数クリア信号Ｎ８を出力する。なお、前記制御部２は前記電圧低下信号Ｎ３を任意の回数受け取った場合に前記弁５に弁閉信号Ｎ４を出力してもよい。
【００２２】
次に、図２のフローチャートを用いて説明する。図４のフローチャートにおいて、タイマのカウントがタイムアップかを判定し（Ｑ２）、流量有りかを判定し（Ｑ５）、流量有りであればタイムアップ保留中をリセットし（Ｑ７）、電池電圧低下を判定する（Ｑ８）。流量有りかを判定したときに（Ｑ５）、流量有りでないとタイムアップ保留中となる（Ｑ６）。また、流量有りでなくてもタイムアップの回数を数えて（Ｑ１０）、タイムアップの回数が任意の回数以上であれば（Ｑ１１）、電池電圧低下判定を行いカウントアップ保留中でなくなる。カウントアップ保留中は、再度タイマのカウントを続けながら流量有りかを判定する（Ｑ１、Ｑ２、Ｑ３、Ｑ４）。電池電圧低下を判定し（Ｑ８）、低下していた場合は弁を閉じる（Ｑ９）。なお、低下していた場合に弁を閉じずに報知手段にて報知させてもよい。
【００２３】
以上のように実施の形態によれば、ガスを長期間使用しない場合は、ガス使用中とは異なる間隔で電池電圧検知を行うことを可能となり、ガスを未使用中の電池電圧低下を検知できるとともに検知する時間間隔を広げることにより、電池の消費を軽減することができる。
【００２４】
（実施の形態３）
図５、図６は本発明の実施例３のブロック図およびフローチャートであり、実施の形態２と異なる点は外部センサ部８を設けているところである。
【００２５】
図５において、１はタイマ部、２は制御部、３は電池電圧低下検知手段、４は電池、５は弁、６は流量入力部、７はカウント部、８は外部センサ部である。
【００２６】
タイマ部１にて任意の時間タイマがカウントし、カウントアップすると制御部２にタイムアップ信号Ｎ１を出力し、カウント部７にカウントアップ回数信号Ｎ６を出力する。カウントアップ回数信号Ｎ６を受け取ると、カウント部７では、回数をカウントし、任意に定めた回数となれば回数アップ信号Ｎ７を制御部２に出力する。
【００２７】
制御部２は、流量入力部６からの流量有り信号Ｎ５を受け取っている流量計測中もしくは外部センサ部８から外部センサ信号Ｎ９を受け取っている間に、前記タイムアップ信号Ｎ１を受け取ると、電池電圧低下検知手段３に電圧検知信号Ｎ２を出力する。また、前記カウント部７から回数アップ信号Ｎ７を受け取ると、前記電圧検知信号Ｎ２を出力する。前記電池電圧低下検知手段３は、前記電圧検知信号Ｎ２を受け取ると電池４の電池電圧を測定し、電池電圧が正常か低下かどうかを判定する。電圧が低下していた場合、電圧低下信号Ｎ３を前記制御部２に出力する。
【００２８】
制御部２は前記電池電圧低下検知手段３より前記電圧低下信号Ｎ３を受け取ると、弁５に弁閉信号Ｎ４を出力する。前記制御部２が前記タイマ部１からの前記タイムアップ信号Ｎ１を受け取り、前記回数アップ信号Ｎ７および前記流量有り信号Ｎ５を受け取っていなければ、前記電池電圧低下検知手段３に前記電圧検知信号Ｎ３を出力するのを保留する。前記制御部２が、前記電圧検知信号Ｎ３の出力を保留している間に前記流量有り信号Ｎ５もしくは外部センサ部８から外部センサ信号Ｎ９を受け取ると前記電圧検知信号Ｎ３を出力する。
【００２９】
制御部２が前記電圧検知信号Ｎ２の出力を保留中に、再度前記タイマ部１から前記タイムアップ信号Ｎ１を受け取っても、継続して前記電圧検知信号Ｎ２の出力を保留する。前記制御部２は、前記電圧検知信号Ｎ２を出力すると同時に、前記カウント部に回数クリア信号Ｎ８を出力する。なお、前記制御部２は前記電圧低下信号Ｎ３を任意の回数受け取った場合に前記弁５に弁閉信号Ｎ４を出力してもよい。なお、外部センサ部は、圧力監視、地震感知、ガス警報器等のセンサ等でもよい。
【００３０】
次に、図６のフローチャートを用いて説明する。図６のフローチャートにおいて、タイマのカウントがタイムアップかを判定し（Ｑ２）、流量有りかを判定し（Ｑ５）、流量有りもしくは外部センサ信号有りであればタイムアップ保留中をリセットし（Ｑ７、Ｑ１３）、電池電圧低下を判定する（Ｑ８）。流量有りかを判定したときに（Ｑ５）、流量有りでないとタイムアップ保留中となる（Ｑ６）。また、流量有りでなくてもタイムアップの回数を数えて（Ｑ１０）、タイムアップの回数が任意の回数以上であれば（Ｑ１１）、電池電圧低下判定を行いカウントアップ保留中でなくなる。カウントアップ保留中は、再度タイマのカウントを続けながら流量有りもしくは外部センサ信号有りかを判定する（Ｑ１、Ｑ２、Ｑ３、Ｑ４）。電池電圧低下を判定し（Ｑ８）、低下していた場合は弁を閉じる（Ｑ９）。なお、低下していた場合に弁を閉じずに報知手段にて報知させてもよい。
【００３１】
上記実施例により任意の時間間隔の電池電圧低下検知を流量計測時もしくは外部センサ信号有りに行うことができ、利用者がガスを利用する時点もしくは外部センサにより異常が確認された時点で電池電圧低下を検知を行うため、利用開始時に電池電圧低下中だった場合の使用、もしくは外部環境に異常があった時の電池電圧低下中の使用を防ぐことでガス利用時の安全性を向上することができる。
【産業上の利用可能性】
【００３２】
以上のように、本発明にかかるガス遮断装置は、ガス未使用期間中は任意に電池電圧検知時間間隔を広げることで、ガス遮断装置の電池の消費を軽減させることが可能となるので、電池を電源として利用し、かつ、定期的な電池電圧検知の必要な機器に適用できる。
【図面の簡単な説明】
【００３３】
【図１】実施の形態１におけるガス遮断装置のブロック図
【図２】実施の形態１におけるガス遮断装置のフローチャート
【図３】実施の形態２におけるガス遮断装置のブロック図
【図４】実施の形態２におけるガス遮断装置のフローチャート
【図５】実施の形態３におけるガス遮断装置のブロック図
【図６】実施の形態３におけるガス遮断装置のフローチャート
【図７】本発明の従来のガス遮断装置のブロック図
【符号の説明】
【００３４】
１  タイマ部
２  制御部
３  電池電圧低下検知手段
４  電池
５  弁
６  流量入力部
７  カウント部
８  外部センサ部
【図１】
2005127883.tif 000003
【図２】
2005127883.tif 000004
【図３】
2005127883.tif 000005
【図４】
2005127883.tif 000006
【図５】
2005127883.tif 000007
【図６】
2005127883.tif 000008
【図７】
2005127883.tif 000009